(57)【特許請求の範囲】
【請求項１】
識別情報を備えた複数の表示装置に画像信号を送出する画像信号発生装置において、
前記複数の表示装置の一つに表示される画像を１ページの画像としたときに、１ページの画像を表示させる画像信号を１フレームずつ順に出力する画像信号発生部と、
インデックス信号を前記各フレームの画像信号に付加するインデックス付加部と、
前記表示装置にポインタを表示させる信号を前記各フレームの画像信号に付加するか否かを制御するポインタ制御部と、
前記各フレームの画像信号を前記複数の表示装置に送出して、前記各フレームの画像信号に付加されたインデックス信号に対応する識別情報を備えた表示装置に画像を表示させる画像信号出力部と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更するように前記インデックス付加部を制御すると共に、前記インデックス信号が無効インデックス信号である期間より少なくとも１フレーム前の時点から少なくとも１フレームの期間、前記ポインタを表示させる信号を前記画像信号に付加しないように前記ポインタ制御部を制御する中央制御部と
を有することを特徴とする画像信号発生装置。
【請求項２】
前記インデックス信号の付加が、前記画像信号の一部をインデックス信号に置き換えることによって実行されることを特徴とする請求項１に記載の画像信号発生装置。
【請求項３】
識別情報を備えた複数の表示装置により受信される画像信号を発生する画像信号発生方法であって、
前記複数の表示装置の一つに表示される画像を１ページの画像としたときに、１ページの画像を表示させる画像信号を１フレームずつ生成し、
インデックス信号を前記各フレームの画像信号に付加し、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させ、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない
ことを特徴とする画像信号発生方法。
【請求項４】
前記インデックス信号の付加が、前記画像信号の一部をインデックス信号に置き換えることによって実行されることを特徴とする請求項３に記載の画像信号発生方法。
【請求項５】
複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムを記録したコンピュータ読み取り可能な記録媒体であって、
前記画像信号処理が、
前記画像信号発生部から出力された各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない処理と
を含むことを特徴とする記録媒体。
【請求項６】
複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムであって、
前記画像信号処理が、
前記画像信号発生部から出力された各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない処理と
を含むことを特徴とするプログラム。
【請求項７】
識別情報を備えた複数の表示装置であって、各々が前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能な前記複数の表示装置に、画像信号を送出する画像信号発生装置であって、
前記複数の表示装置の一つに表示される画像を１ページの画像とし、当該１ページの画像を表示させる画像信号を１フレームずつ順に出力する画像信号発生部と、
前記複数の表示装置の各識別情報に対応する前記インデックス信号を各フレームの画像信号に付加するインデックス付加部と、
中央制御部と、
前記中央制御部からの指令に基づき、前記表示装置にポインタを表示させる信号を前記各フレームの画像信号に付加するポインタ制御部と、
前記各フレームの画像信号を前記複数の表示装置に送出して、前記各フレームの画像信号に付加されたインデックス信号に対応する識別情報を備えた表示装置に画像を表示させる画像信号出力部とを備え、
前記中央制御部は、前記インデックス信号が変更される場合、変更前のインデックス信号に対応する識別情報を備えた表示装置に表示される変更前のページの画像中に前記ポインタが表示されないよう、変更前の少なくとも１フレーム分の画像信号については前記ポインタを表示させる信号を付加しないよう前記ポインタ制御部を制御する
ことを特徴とする画像信号発生装置。
【請求項８】
識別情報を備えた複数の表示装置であって、各々が前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能な前記複数の表示装置に、画像信号を送出する画像信号発生方法であって、
前記複数の表示装置の一つに表示される画像を１ページの画像とし、当該１ページの画像を表示させる画像信号を１フレームずつ順に出力し、
前記複数の表示装置の各識別情報に対応する前記インデックス信号を各フレームの画像信号に付加し、
前記表示装置にポインタを表示させる信号を前記各フレームの画像信号に付加し、
前記各フレームの画像信号を前記複数の表示装置に送出して、前記各フレームの画像信号に付加されたインデックス信号に対応する識別情報を備えた表示装置に画像を表示させ、
前記インデックス信号を各フレームの画像信号に付加する際に、前記インデックス信号が変更される場合、変更前のインデックス信号に対応する識別情報を備えた表示装置に表示される変更前のページの画像中に前記ポインタが表示されないよう、変更前の少なくとも１フレーム分の画像信号については前記ポインタを表示させる信号を付加しないようにする
ことを特徴とする画像信号発生方法。
【請求項９】
識別情報を備えた複数の表示装置であって、各々が前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能な前記複数の表示装置に、画像信号を送出するコンピュータシステムに画像信号処理を実行させるためのプログラムを記録したコンピュータ読み取り可能な記録媒体であって、
前記画像信号処理が、
前記複数の表示装置の一つに表示される画像を１ページの画像とし、当該１ページの画像を表示させる画像信号を１フレームずつ順に出力する処理と、
前記複数の表示装置の各識別情報に対応する前記インデックス信号を各フレームの画像信号に付加する処理と、
前記表示装置にポインタを表示させる信号を前記各フレームの画像信号に付加する処理と、
前記各フレームの画像信号を前記複数の表示装置に送出して、前記各フレームの画像信号に付加されたインデックス信号に対応する識別情報を備えた表示装置に画像を表示させる処理とを含み、
前記インデックス信号を各フレームの画像信号に付加する際に、前記インデックス信号が変更される場合、変更前のインデックス信号に対応する識別情報を備えた表示装置に表示される変更前のページの画像中に前記ポインタが表示されないよう、変更前の少なくとも１フレーム分の画像信号については前記ポインタを表示させる信号を付加しないようにする
ことを特徴とする記録媒体。
【請求項１０】
識別情報を備えた複数の表示装置であって、各々が前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能な前記複数の表示装置に、画像信号を送出するコンピュータシステムに画像信号処理を実行させるためのプログラムであって、
前記複数の表示装置の各々は、前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能であり、
前記画像信号処理が、
前記複数の表示装置の一つに表示される画像を１ページの画像とし、当該１ページの画像を表示させる画像信号を１フレームずつ順に出力する処理と、
前記複数の表示装置の各識別情報に対応する前記インデックス信号を各フレームの画像信号に付加する処理と、
前記表示装置にポインタを表示させる信号を前記各フレームの画像信号に付加する処理と、
前記各フレームの画像信号を前記複数の表示装置に送出して、前記各フレームの画像信号に付加されたインデックス信号に対応する識別情報を備えた表示装置に画像を表示させる処理とを含み、
前記インデックス信号を各フレームの画像信号に付加する際に、前記インデックス信号が変更される場合、変更前のインデックス信号に対応する識別情報を備えた表示装置に表示される変更前のページの画像中に前記ポインタが表示されないよう、変更前の少なくとも１フレーム分の画像信号については前記ポインタを表示させる信号を付加しないようにする
ことを特徴とするプログラム。
【発明の詳細な説明】
【０００１】
【発明の属する技術分野】
本発明は、識別情報を備えた複数の表示装置のそれぞれに別個の画像を表示させることができる画像信号発生装置、画像信号発生方法、この方法を実行させるプログラム、及びこのプログラムを記録した記録媒体に関するものである。
【０００２】
【従来の技術】
特開２０００−３５２９６２公報には、１台の画像信号発生装置（例えば、パーソナルコンピュータ）によって複数の表示装置（例えば、ＣＲＴ又は液晶モニター等）に異なる画像を表示させるシステムが開示されている。このシステムに使用される各表示装置には、予め識別情報（例えば、識別番号）が設定されている。また、このシステムに使用される画像信号発生装置は、フレーム毎にインデックス信号が付加された画像信号を、接続された全ての表示装置に提供する。各表示装置は、各フレームの画像信号に付加されたインデックス信号が、自らの識別情報に一致するか否かを判定する。各表示装置は、インデックス信号が自らの識別情報に一致する場合に、そのインデックス信号が付加されているフレームの画像信号に基づく画像を表示し（即ち、表示装置の画像メモリの内容を書き換え）、一致しない場合に、そのインデックス信号が付加されているフレームの画像信号を無視して表示状態を変更しない（即ち、表示装置の画像メモリの内容を変更しない）。このシステムによれば、１台の画像信号発生装置から出力された同じ画像信号を受信する複数の表示装置に時分割的に（例えば、所定数のフレーム期間毎にインデックス信号を切り替えて）又は選択的に（例えば、使用者が選択した表示装置に）画像を表示させることができる。その結果、画像信号発生装置と複数の表示装置とを接続ケーブルで接続するだけで、複数の表示装置の表示領域から成る広い表示領域に１枚の画像を表示したり、アプリケーションソフトウエアに基づいて表示される複数のウィンドウを複数の表示装置のそれぞれ表示させることができる。
【０００３】
【発明が解決しようとする課題】
しかしながら、上記した従来のシステムにおいて、マウスポインタを含む画像を各表示装置に表示させると、図１１に示されるように、全ての表示装置１１，１２，１３のそれぞれにマウスポインタ５１，５１ａが表示されることになる。このため、各表示装置１１，１２，１３に表示されたマウスポインタ５１，５１ａが、画像信号発生装置から送出された画像信号に基づいて表示装置（インデックス信号により選択されている表示装置であり、図１１においては、表示装置１２である。）に表示されているマウスポインタ５１（マウスの操作に従って移動等をさせることができる。）であるのか、表示装置（インデックス信号により選択されていない表示装置であり、図１１においては、表示装置１１，１３である。）の画像メモリに残されているデータに基づいて表示されているマウスポインタ５１ａ（マウスの操作に従って移動等をさせることができない。）であるのかが区別しにくい。
【０００４】
そこで、本発明は上記したような従来技術の課題を解決するためになされたものであり、その目的とするところは、インデックス信号により選択されている表示装置にのみポインタを表示させることができる画像信号を発生する画像信号発生装置、画像信号発生方法、この方法を実行させるプログラム、及びこのプログラムを記録した記録媒体に関するものである。
【０００５】
【課題を解決するための手段】
参考発明に係る画像信号発生装置は、識別情報を備えた複数の表示装置に画像信号を送出する画像信号発生装置であって、
前記複数の表示装置の一つに表示される画像を１ページの画像としたときに、１ページの画像を表示させる画像信号を１フレームずつ順に出力する画像信号発生部と、
インデックス信号を前記各フレームの画像信号に付加するインデックス付加部と、
前記表示装置にポインタを表示させる信号を前記各フレームの画像信号に付加するか否かを制御するポインタ制御部と、
前記各フレームの画像信号を前記複数の表示装置に送出して、前記各フレームの画像信号に付加されたインデックス信号に対応する識別情報を備えた表示装置に画像を表示させる画像信号出力部と、
インデックス信号の変更により前記ページを変更する時点より少なくとも１フレーム前の時点から少なくとも１フレームの期間、前記ポインタを表示させる信号を前記画像信号に付加しないように前記ポインタ制御部を制御する中央制御部とを有し、
前記インデックス信号の付加が、前記画像信号の一部をインデックス信号に置き換えることによって実行される
ことを特徴としている。
【０００６】
請求項１に係る画像信号発生装置は、識別情報を備えた複数の表示装置に画像信号を送出する装置であって、
前記複数の表示装置の一つに表示される画像を１ページの画像としたときに、１ページの画像を表示させる画像信号を１フレームずつ順に出力する画像信号発生部と、
インデックス信号を前記各フレームの画像信号に付加するインデックス付加部と、
前記表示装置にポインタを表示させる信号を前記各フレームの画像信号に付加するか否かを制御するポインタ制御部と、
前記各フレームの画像信号を前記複数の表示装置に送出して、前記各フレームの画像信号に付加されたインデックス信号に対応する識別情報を備えた表示装置に画像を表示させる画像信号出力部と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更するように前記インデックス付加部を制御すると共に、前記インデックス信号が無効インデックス信号である期間より少なくとも１フレーム前の時点から少なくとも１フレームの期間、前記ポインタを表示させる信号を前記画像信号に付加しないように前記ポインタ制御部を制御する中央制御部と
を有することを特徴としている。
【０００７】
また、請求項２に係る画像信号発生装置は、前記インデックス信号の付加が、前記画像信号の一部をインデックス信号に置き換えることによって実行されることを特徴としている。
【０００８】
参考発明に係る画像信号発生方法は、識別情報を備えた複数の表示装置により受信される画像信号を発生する方法であって、
前記複数の表示装置の一つに表示される画像を１ページの画像としたときに、１ページの画像を表示させる画像信号を１フレームずつ生成し、
インデックス信号を前記各フレームの画像信号に付加し、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させ、
インデックス信号の変更により前記ページを変更する時点より少なくとも１フレーム前の時点から少なくとも１フレームの期間、前記ポインタを表示させる信号を前記画像信号に付加せず、
前記インデックス信号の付加が、前記画像信号の一部をインデックス信号に置き換えることによって実行される
ことを特徴としている。
【０００９】
請求項３に係る画像信号発生方法は、識別情報を備えた複数の表示装置により受信される画像信号を発生する方法であって、
前記複数の表示装置の一つに表示される画像を１ページの画像としたときに、１ページの画像を表示させる画像信号を１フレームずつ生成し、
インデックス信号を前記各フレームの画像信号に付加し、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させ、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない
ことを特徴としている。
【００１０】
また、請求項４に係る画像信号発生方法は、前記インデックス信号の付加が、前記画像信号の一部をインデックス信号に置き換えることによって実行されることを特徴としている。
【００１１】
参考発明に係る記録媒体は、前記複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムを記録したコンピュータ読み取り可能な記録媒体であって、
前記画像信号処理が、
前記画像信号発生部から出力される各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記ポインタを表示させる信号を前記画像信号に付加しない処理と
を含み、
前記インデックス信号の付加が、前記画像信号の一部をインデックス信号に置き換えることによって実行される
ことを特徴としている。
【００１２】
請求項５に係る記録媒体は、前記複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムを記録したコンピュータ読み取り可能な記録媒体であって、
前記画像信号処理が、
前記画像信号発生部から出力された各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない処理とを含むことを特徴としている。
【００１３】
参考発明に係るプログラムは、前記複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムであって、
前記画像信号処理が、
前記画像信号発生部から出力された各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記ポインタを表示させる信号を前記画像信号に付加しない処理と
を含み、
前記インデックス信号の付加が、前記画像信号の一部をインデックス信号に置き換えることによって実行される
ことを特徴としている。
【００１４】
請求項６に係るプログラムは、前記複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムであって、
前記画像信号処理が、
前記画像信号発生部から出力された各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない処理とを含むことを特徴としている。
また、請求項７に係る画像信号発生装置は、識別情報を備えた複数の表示装置であって、各々が前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能な前記複数の表示装置に、画像信号を送出する画像信号発生装置であって、前記複数の表示装置の一つに表示される画像を１ページの画像とし、当該１ページの画像を表示させる画像信号を１フレームずつ順に出力する画像信号発生部と、前記複数の表示装置の各識別情報に対応する前記インデックス信号を各フレームの画像信号に付加するインデックス付加部と、中央制御部と、前記中央制御部からの指令に基づき、前記表示装置にポインタを表示させる信号を前記各フレームの画像信号に付加するポインタ制御部と、前記各フレームの画像信号を前記複数の表示装置に送出して、前記各フレームの画像信号に付加されたインデックス信号に対応する識別情報を備えた表示装置に画像を表示させる画像信号出力部とを備え、前記中央制御部は、前記インデックス信号が変更される場合、変更前のインデックス信号に対応する識別情報を備えた表示装置に表示される変更前のページの画像中に前記ポインタが表示されないよう、変更前の少なくとも１フレーム分の画像信号については前記ポインタを表示させる信号を付加しないよう前記ポインタ制御部を制御することを特徴としている。
また、請求項８に係る画像信号発生方法は、識別情報を備えた複数の表示装置であって、各々が前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能な前記複数の表示装置に、画像信号を送出する画像信号発生方法であって、前記複数の表示装置の一つに表示される画像を１ページの画像とし、当該１ページの画像を表示させる画像信号を１フレームずつ順に出力し、前記複数の表示装置の各識別情報に対応する前記インデックス信号を各フレームの画像信号に付加し、前記表示装置にポインタを表示させる信号を前記各フレームの画像信号に付加し、前記各フレームの画像信号を前記複数の表示装置に送出して、前記各フレームの画像信号に付加されたインデックス信号に対応する識別情報を備えた表示装置に画像を表示させ、前記インデックス信号を各フレームの画像信号に付加する際に、前記インデックス信号が変更される場合、変更前のインデックス信号に対応する識別情報を備えた表示装置に表示される変更前のページの画像中に前記ポインタが表示されないよう、変更前の少なくとも１フレーム分の画像信号については前記ポインタを表示させる信号を付加しないようにすることを特徴としている。
また、請求項９に係る記録媒体は、識別情報を備えた複数の表示装置であって、各々が前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能な前記複数の表示装置に、画像信号を送出するコンピュータシステムに画像信号処理を実行させるためのプログラムを記録したコンピュータ読み取り可能な記録媒体であって、前記画像信号処理が、前記複数の表示装置の一つに表示される画像を１ページの画像とし、当該１ページの画像を表示させる画像信号を１フレームずつ順に出力する処理と、前記複数の表示装置の各識別情報に対応する前記インデックス信号を各フレームの画像信号に付加する処理と、前記表示装置にポインタを表示させる信号を前記各フレームの画像信号に付加する処理と、前記各フレームの画像信号を前記複数の表示装置に送出して、前記各フレームの画像信号に付加されたインデックス信号に対応する識別情報を備えた表示装置に画像を表示させる処理とを含み、前記インデックス信号を各フレームの画像信号に付加する際に、前記インデックス信号が変更される場合、変更前のインデックス信号に対応する識別情報を備えた表示装置に表示される変更前のページの画像中に前記ポインタが表示されないよう、変更前の少なくとも１フレーム分の画像信号については前記ポインタを表示させる信号を付加しないようにすることを特徴としている。
また、請求項１０に係るプログラムは、識別情報を備えた複数の表示装置であって、各々が前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能な前記複数の表示装置に、画像信号を送出するコンピュータシステムに画像信号処理を実行させるためのプログラムであって、前記複数の表示装置の各々は、前記識別情報に対応するインデックス信号が付加されたフレームの画像信号を保持するメモリを備え、当該メモリに保持された画像信号を表示することにより、前記インデックス信号の変更後に変更前のページの画像を継続して表示することが可能であり、前記画像信号処理が、前記複数の表示装置の一つに表示される画像を１ページの画像とし、当該１ページの画像を表示させる画像信号を１フレームずつ順に出力する処理と、前記複数の表示装置の各識別情報に対応する前記インデックス信号を各フレームの画像信号に付加する処理と、前記表示装置にポインタを表示させる信号を前記各フレームの画像信号に付加する処理と、前記各フレームの画像信号を前記複数の表示装置に送出して、前記各フレームの画像信号に付加されたインデックス信号に対応する識別情報を備えた表示装置に画像を表示させる処理とを含み、前記インデックス信号を各フレームの画像信号に付加する際に、前記インデックス信号が変更される場合、変更前のインデックス信号に対応する識別情報を備えた表示装置に表示される変更前のページの画像中に前記ポインタが表示されないよう、変更前の少なくとも１フレーム分の画像信号については前記ポインタを表示させる信号を付加しないようにすることを特徴としている。
【００１５】
【発明の実施の形態】
実施の形態１．
図１は、本発明の実施の形態１に係る画像信号発生装置１（実施の形態１に係る画像信号発生方法を実施する装置）の構成を概略的に示すブロック図である。また、図２は、実施の形態１に係る画像信号発生装置１と第１、第２、第３の表示装置１１，１２，１３との接続図である。
【００１６】
画像信号発生装置１は、例えば、パーソナルコンピュータである。第１、第２、第３の表示装置１１，１２，１３は、例えば、接続ケーブル１０により画像信号発生装置１に接続されたモニターである。図２には、３台の表示装置１１，１２，１３が示されているが、画像信号発生装置１に接続される表示装置の台数は２台以下又は４台以上であってもよい。また、図２においては、接続ケーブル１０を途中で分岐（例えば、分配器による）させているが、各表示装置１１，１２，１３に入力信号をそのまま出力する出力端子を備えることにより、直列に接続することも可能である。また、図２に示されるように、各表示装置１１，１２，１３には、予め異なる識別情報（例えば、識別番号Ｎｏ．１、Ｎｏ．２、Ｎｏ．３）が設定されている。このように、実施の形態１においては、画像信号発生装置１の一つの出力端子７に接続ケーブル１０を接続し、接続ケーブル１０の他方の端部を各表示装置１１，１２，１３に接続することによって、各表示装置１１，１２，１３に異なる画像を表示させることができる。また、複数の表示装置に同じ画像を表示させる場合には、同じ識別情報を設定すればよい。
【００１７】
図１に示されるように、画像信号発生装置１は、画像信号発生部２と、インデックス付加部３と、ポインタ制御部４と、画像信号出力部５と、中央制御部６と、出力端子７とを有する。ただし、インデックス付加部３とポインタ制御部４とを逆に配置してもよい。なお、画像信号発生装置１に含まれる各構成２から６までは、画像信号発生装置１の機能を説明するために必要な部分を示すものであり、実際の回路構成等が明確に分離されているとは限らない。また、画像信号発生部２、インデックス付加部３、ポインタ制御部４、及び中央制御部６における処理は、中央制御部６に予めインストールされているコンピュータプログラム、又は、磁気ディスクや光ディスク等の情報記録媒体８若しくはインターネット等によるダウンロードによりインストールされたコンピュータプログラムに従って実行される。
【００１８】
画像信号発生部２は、表示装置１１，１２，１３の一つに表示される画像を１ページの画像としたときに、１ページの画像を表示させる画像信号を１フレームずつ順に出力する。画像信号は、例えば、アプリケーションソフトウエアに従って生成される。画像信号としては、図２に示されるようなデータ入力又は出力用の複数のウィンドウ４１，４２，４３に関するものや、複数の表示装置１１，１２，１３の表示領域から成る広い表示領域に表示される１枚の画像に関するものが含まれる。
【００１９】
インデックス付加部３は、画像信号発生部２から出力された各フレームの画像信号にインデックス信号を付加する。インデックス信号は、各表示装置１１，１２，１３において予め（例えば、専用のスイッチ、ダイヤル、又は画面上のメニューからの操作等により）設定された識別情報（例えば、識別番号）に対応する信号である。インデックス付加部３による、インデックス信号の付加は、各フレームの画像信号にインデックス信号を追加することにより、又は、各フレームの画像信号の一部をインデックス信号に置き換えることによって実行される。インデックス信号は、例えば、階調表現の最大値と最小値との組み合わせで表現される。
【００２０】
ポインタ制御部４は、各表示装置１１，１２，１３にマウスポインタ等のポインタ５１を表示させる信号を各フレームの画像信号に付加するか否かを制御する。
【００２１】
画像信号出力部５は、各フレームの画像信号を出力端子７から複数の表示装置１１，１２，１３に送出する。出力信号の形式は、アナログ形式、並びに、ＴＭＤＳ（Transmission Minimized Differential Signaling）、ＬＶＤＳ（Low Voltage Differential Signaling）、及び光などに代表されるデジタル形式のいずれでもよい。
【００２２】
中央制御部６は、画像信号発生部２、インデックス付加部３、及びポインタ制御部４を制御する。中央制御部６は、インデックス信号の変更により時間的に順に並ぶ複数フレームによって表示されるページを変更する時点より少なくとも１フレーム前の時点から少なくとも１フレームの期間、ポインタを表示させる信号を画像信号に付加しないようにポインタ制御部４を制御する。即ち、従来例を示す図１１のポインタ５１ａを表示させないようにポインタ制御部４を制御する。
【００２３】
図３は、実施の形態１に係る画像信号発生装置１におけるインデックス信号Ｉｎの付加を説明するためのタイミングチャートである。図３は、１フレーム中の２つのラインの画像信号中（画像表示期間内）の所定の位置のものをインデックス信号Ｉｎに置き換える場合を示す。図３に示されるように、インデックス付加部３は、画像表示期間中の所定の位置にインデックス信号Ｉｎを画像信号の一部と置き換えて付加する。インデックス信号Ｉｎは画像表示期間内の画像信号の一部を置き換えて付加（重畳）されるので、表示装置１１，１２，１３の表示画面中にインデックス信号Ｉｎに対応する映像（例えば、図２に符号３１，３２，３３で示されるような映像）が表示される。このため、表示画面中の目立たない位置（例えば、画面の角部付近）にインデックス信号Ｉｎに対応する映像が表示されるようにすることが望ましい。
【００２４】
図４は、実施の形態１に係る画像信号発生装置１に接続される表示装置１１，１２，１３の構成を概略的に示すブロック図である。図４に示されるように、各表示装置１１，１２，１３は、入力端子２１と、画像信号受信部２２と、受信したインデックス信号を予め設定された閾値に基づいて２値化するインデックス判別部２２と、表示装置１１，１２，１３の識別番号を設定する識別番号設定部２４と、各フレームの画像信号に付加されたインデックス信号が表示装置に設定された識別番号に対応するものか否かの判定をするインデックス判定部２５とを有する。また、各表示装置１１，１２，１３は、インデックス判定部２５の判定結果に基づいて画像記憶部２７に送出するフレームであるか否かを選択するフレーム選択部２６と、画像記憶部２７と、表示部２８とを有する。また、図４において、Ｄｉは画像信号受信部２２から出力される画像信号であり、Ｓｉは画像信号受信部２２から出力される同期信号である。このような構成により、各表示装置１１，１２，１３は、各フレームの画像信号に付加されたインデックス信号が、設定された識別番号に対応するものである場合に、そのフレームの画像信号を画像記憶部２７に記憶し、表示部２８に表示させる。
【００２５】
図５は、実施の形態１に係る画像信号発生装置１におけるページ変更時の動作を説明するためのタイミングチャートである。図５において、Ｐ１は、第１の表示装置１１に表示される第１ページの画像信号、Ｐ２は、第２の表示装置１２に表示される第２ページの画像信号、Ｐ３は、第３の表示装置１３に表示される第３ページの画像信号である。各ページは、時間的に順に並ぶ複数フレームの画像信号によって表示される。図５に示されるように、画像信号発生部２が第１ページの画像信号Ｐ１を発生している期間は、第１の表示装置１１の識別番号（図２におけるＮｏ．１）に対応するインデックス信号（図５におけるＮｏ．１）がインデックス付加部２で画像信号に付加される。また、画像信号発生部２が第２ページの画像信号Ｐ２を発生している期間は、第２の表示装置１２の識別番号（図２におけるＮｏ．２）に対応するインデックス信号（図５におけるＮｏ．２）がインデックス付加部２で画像信号に付加される。また、画像信号発生部２が第３ページの画像信号Ｐ３を発生している期間は、第３の表示装置１３の識別番号（図２におけるＮｏ．３）に対応するインデックス信号（図５におけるＮｏ．３）がインデックス付加部２で画像信号に付加される。ページの変更、即ち、切替え（その結果、表示装置１１，１２，１３も切り替わる。）は、中央制御部６からの指令に基づいて実行される。中央制御部６からの指令に基づいてポインタ制御部４は、第１ページの画像信号Ｐ１から第２ページの画像信号Ｐ２への切替え（図５においては、インデックスＮｏ．１からインデックスＮｏ．２への切替え）の少なくとも１フレーム前から少なくとも１フレームの期間（図５における期間ｔ１〜ｔ２、ｔ４〜ｔ５）、ポインタを表示させる信号を画像信号に付加しない。この期間、即ち、ポインタの非表示期間を設けることで、選択されていない表示装置の画像メモリ（図４の画像記憶部２７）にポインタの画像が記憶されなくなる。
【００２６】
図６は、実施の形態１に係る画像信号発生装置１におけるページ変更時の動作を示すフローチャートである。図６に示されるように、ページ変更時には、ステップＳＴ１において、ポインタを一時的に（少なくとも１フレームの期間）非表示にする（図５における期間ｔ１〜ｔ２、ｔ４〜ｔ５）。次のステップＳＴ２において、画像信号に付加されるインデックス信号を次のページのインデックス信号に変更し（図５の時刻ｔ２，ｔ５）、ステップＳＴ４において、マウスポインタ１５を表示期間に戻す（図５の時刻ｔ２，ｔ５）。次のステップＳＴ４において、ページ（画像）を切り替えて処理を終了する（図５の時刻ｔ３，ｔ６）。
【００２７】
以上説明したように、実施の形態１に係る画像信号発生装置、画像信号発生方法、この方法を実行させるプログラム、及びこのプログラムを記憶した記録媒体を用いれば、インデックス信号の変更によりインデックス信号により指定される表示装置１１，１２，１３を切り替えるページ変更のときに、ページ変更の時点より少なくとも１フレーム前の時点から少なくとも１フレームの期間、ポインタを表示させる信号を画像信号に付加しないようにしている。このため、インデックス信号により指定された選択中の表示装置にのみポインタを表示させることができる。
【００２８】
実施の形態２．
図７は、本発明の実施の形態２に係る画像信号発生装置（実施の形態２に係る画像信号発生方法を実施する装置）におけるページ変更時の動作を説明するためのタイミングチャートである。また、図８は、実施の形態２に係る画像信号発生装置におけるページ変更時の動作を示すフローチャートである。実施の形態２に係る画像信号発生装置は、ページ変更時の動作のみが実施の形態１に係る画像信号発生装置と相違する。従って、実施の形態２の説明においては、図１から図４までを参照する。
【００２９】
図７において、Ｐ１は、第１の表示装置１１に表示される第１ページの画像信号、Ｐ２は、第２の表示装置１２に表示される第２ページの画像信号、Ｐ３は、第３の表示装置１３に表示される第３ページの画像信号である。各ページは、時間的に順に並ぶ複数フレームの画像によって表示される。図７に示されるように、画像信号発生部２が第１ページの画像信号Ｐ１を発生している期間は、第１の表示装置１１の識別番号（図２におけるＮｏ．１）に対応するインデックス信号（図７におけるＮｏ．１）がインデックス付加部２で画像信号に付加される。また、画像信号発生部２が第２ページの画像信号Ｐ２を発生している期間は、第２の表示装置１２の識別番号（図２におけるＮｏ．２）に対応するインデックス信号（図７におけるＮｏ．２）がインデックス付加部２で画像信号に付加される。また、画像信号発生部２が第３ページの画像信号Ｐ３を発生している期間は、第３の表示装置１３の識別番号（図２におけるＮｏ．３）に対応するインデックス信号（図７におけるＮｏ．３）がインデックス付加部２で画像信号に付加される。ページの変更、即ち、切替え（その結果、表示装置１１，１２，１３も切り替わる）は、中央制御部６からの指令に基づいて実行される。インデックス付加部３は、インデックス信号を表示装置の識別番号に対応するものに変更する時点ｔ１３又はｔ１７より少なくとも１フレーム前の時点ｔ１２又はｔ１６から少なくとも１フレームの期間、インデックス信号を複数の表示装置の識別情報のいずれにも対応しない無効インデックス信号（Ｎｏ．０）に変更する。また、中央制御部６からの指令に基づいて、ポインタ制御部４は、インデックス信号が無効インデックス信号である期間より少なくとも１フレーム前の時点ｔ１１又はｔ１５から少なくとも１フレームの期間（図７における期間ｔ１１〜ｔ１３、ｔ１５〜ｔ１７）ポインタを表示させる信号を画像信号に付加しない。この期間、即ち、ポインタの非表示期間を設けることで、選択されていない表示装置側の画像メモリ（図４の画像記憶部２７）にポインタの画像が記憶されなくなる。
【００３０】
図８は、実施の形態２に係る画像信号発生装置におけるページ変更時の動作を示すフローチャートである。図８に示されるように、ページ変更時には、ステップＳＴ１１において、ポインタを一時的に（少なくとも１フレーム）非表示にする（図７における期間ｔ１１〜ｔ１３、ｔ１５〜ｔ１７）。次のステップＳＴ１２において、画像信号に付加されるインデックス信号を無効インデックス信号に変更し（図７における時刻ｔ１２，ｔ１６）、ステップＳＴ１３において、画像信号に付加されるインデックス信号を次の表示装置の識別情報に対応するインデックス信号に変更（図７における時刻ｔ１３，ｔ１７）し、ステップＳＴ１４において、ポインタ５１を表示期間に戻す（図７における時刻ｔ１３，ｔ１７）。次のステップＳＴ１５においては、ページ（画像）を切り替えて処理を終了する（図７における時刻ｔ１４，ｔ１８）。
【００３１】
以上説明したように、実施の形態２に係る画像信号発生装置、画像信号発生方法、この方法を実行させるプログラム、及びこのプログラムを記憶した記録媒体を用いれば、インデックス信号の変更によりインデックス信号により指定される表示装置１１，１２，１３を切り替えるページ変更のときに、インデックス信号を変更する時点より少なくとも１フレーム前の時点から少なくとも１フレームの期間、ポインタを表示させる信号を画像信号に付加しないようにした。このため、インデックス信号により指定された選択中の表示装置にのみポインタを表示させることができる。
【００３２】
また、実施の形態２に係る画像信号発生装置、画像信号発生方法、この方法を実行させるプログラム、及びこのプログラムを記憶した記録媒体を用いれば、ページ変更に際して、無効インデックス期間を設けているので、画像信号の変化が垂直同期信号に正しく同期しなかった場合であっても、表示画像が乱れ難くなる。
【００３３】
なお、実施の形態２において、上記以外の点は、上記実施の形態１と同じである。
【００３４】
実施の形態３．
図９は、本発明の実施の形態３に係る画像信号発生装置（実施の形態３に係る画像信号発生方法を実施する装置）におけるページ変更時の動作を説明するためのタイミングチャートである。また、図１０は、実施の形態３に係る画像信号発生装置におけるページ変更時の動作を示すフローチャートである。実施の形態３に係る画像信号発生装置は、ページ変更時の動作のみが実施の形態１に係る画像信号発生装置と相違する。従って、実施の形態３の説明においては、図１から図４までを参照する。
【００３５】
図９において、Ｐ１は、第１の表示装置１１に表示される第１ページの画像信号、Ｐ２は、第２の表示装置１２に表示される第２ページの画像信号、Ｐ３は、第３の表示装置１３に表示される第３ページの画像信号である。図９に示されるように、画像信号発生部２が第１ページの画像信号Ｐ１を発生している期間は、第１の表示装置１１の識別番号（図２におけるＮｏ．１）に対応するインデックス信号（図９におけるＮｏ．１）がインデックス付加部２で画像信号に付加される。また、画像信号発生部２が第２ページの画像信号Ｐ２を発生している期間は、第２の表示装置１２の識別番号（図２におけるＮｏ．２）に対応するインデックス信号（図９におけるＮｏ．２）がインデックス付加部２で付加される。また、画像信号発生部２が第３ページの画像信号Ｐ３を発生している期間は、第３の表示装置１３の識別番号（図２におけるＮｏ．３）に対応するインデックス信号（図９におけるＮｏ．３）がインデックス付加部２で付加される。ページの変更、即ち、切替え（その結果、表示装置１１，１２，１３も切り替わる。）は、中央制御部６からの指令に基づいて実行される。インデックス付加部３は、インデックス信号を表示装置の識別番号に対応するものに変更する時点ｔ２３又はｔ２７より少なくとも１フレーム前の時点ｔ２２又はｔ２６から少なくとも１フレームの期間、インデックス信号を複数の表示装置の識別情報のいずれにも対応しない無効インデックス信号（Ｎｏ．０）に変更する。また、中央制御部６からの指令に基づいて、ポインタ制御部４は、インデックス信号が無効インデックス信号である期間より少なくとも１フレーム前の時点ｔ２１又はｔ２５から少なくとも１フレームの期間（図９における期間ｔ２１〜ｔ２２、ｔ２５〜ｔ２６）ポインタを表示させる信号を画像信号に付加しない。この期間、即ち、ポインタの非表示期間を設けることで、選択されていない表示装置側の画像メモリ（図４の画像記憶部２７）にポインタの画像が記憶されなくなる。
【００３６】
図１０は、実施の形態３に係る画像信号発生装置におけるページ変更時の動作を示すフローチャートである。図１０に示されるように、ページ変更時には、ステップＳＴ２１において、ポインタを一時的（少なくとも１フレーム）に非表示にする（図９の時刻ｔ２１，ｔ２５）。次のステップＳＴ２２において、画像信号に付加されるインデックス信号を無効インデックス信号に変更し（図９の時刻ｔ２２，ｔ２６）、ステップＳＴ２３において、ポインタを表示期間に戻す。次の、ステップＳＴ２４において、画像信号に付加されるインデックス信号を次のインデックス信号に変更（図９の時刻ｔ２３，ｔ２７）し、次のステップＳＴ２５においては、ページ（画像）を切り替えて処理を終了する（図９の時刻ｔ２４，ｔ２８）。
【００３７】
以上説明したように、実施の形態３に係る画像信号発生装置、画像信号発生方法、この方法を実行させるプログラム、及びこのプログラムを記憶した記録媒体を用いれば、インデックス信号の変更によりインデックス信号により指定される表示装置１１，１２，１３を切り替えるページ変更のときに、インデックス信号を変更する時点より少なくとも１フレーム前の時点から少なくとも１フレームの期間、ポインタを表示させる信号を画像信号に付加しないようにした。このため、インデックス信号により指定された選択中の表示装置にのみポインタを表示させることができる。
【００３８】
また、実施の形態３に係る画像信号発生装置、画像信号発生方法、この方法を実行させるプログラム、及びこのプログラムを記憶した記録媒体を用いれば、ページ変更に際して、無効インデックス期間を設けているので、画像信号の変化が垂直同期信号に正しく同期しなかった場合であっても、表示画像が乱れ難くなる。
【００３９】
なお、実施の形態３において、上記以外の点は、上記実施の形態１と同じである。
【００４０】
【発明の効果】
以上説明したように、本発明の画像信号発生装置、画像信号発生方法、記録媒体から読み取られたプログラム、及びプログラムによれば、インデックス信号の変更によりインデックス信号により指定される表示装置を切り替えるページ変更のときに、インデックス信号を変更する時点より少なくとも１フレーム前の時点から少なくとも１フレームの期間、ポインタを表示させる信号を画像信号に付加しないようにした。このため、インデックス信号により指定された選択中の表示装置にのみポインタを表示させることができる。
【００４１】
また、本発明の画像信号発生装置、画像信号発生方法、記録媒体から読み取られたプログラム、及びプログラムによれば、画像信号の変化が垂直同期信号に正しく同期しなかった場合であっても、表示画像が乱れ難い。
【図面の簡単な説明】
【図１】  本発明の実施の形態１に係る画像信号発生装置の構成を概略的に示すブロック図である。
【図２】  実施の形態１に係る画像信号発生装置と複数の表示装置との接続図である。
【図３】  実施の形態１に係る画像信号発生装置におけるインデックス信号の付加を説明するためのタイミングチャートである。
【図４】  実施の形態１に係る画像信号発生装置に接続される表示装置の構成を概略的に示すブロック図である。
【図５】  実施の形態１に係る画像信号発生装置におけるページ変更時の動作を説明するためのタイミングチャートである。
【図６】  実施の形態１に係る画像信号発生装置におけるページ変更時の動作を示すフローチャートである。
【図７】  本発明の実施の形態２に係る画像信号発生装置におけるページ変更時の動作を説明するためのタイミングチャートである。
【図８】  実施の形態２に係る画像信号発生装置におけるページ変更時の動作を示すフローチャートである。
【図９】  本発明の実施の形態３に係る画像信号発生装置におけるページ変更時の動作を説明するためのタイミングチャートである。
【図１０】  実施の形態３に係る画像信号発生装置におけるページ変更時の動作を示すフローチャートである。
【図１１】  従来の画像信号発生装置における表示画像を示す説明図である。
【符号の説明】
１  画像信号発生装置、  ２  画像信号発生部、  ３  インデックス付加部、４  ポインタ制御部、  ５  画像信号出力部、  ６  中央制御部、  ７  出力端子、  ８  記録媒体、  １０  接続ケーブル、  １１  第１の表示装置、  １２  第２の表示装置、  １３  第３の表示装置、  ２１  入力端子、  ２２  画像信号受信部、  ２３  インデックス判別部、  ２４  識別番号設定部、  ２５インデックス判定部、  ２６  フレーム選択部、  ２７  画像記憶部、  ２８表示部、  ３１，３２，３３  インデックス、  ４１，４２，４３  ウィンドウ、  ５１  ポインタ、  Ｉｎ  インデックス信号、  Ｐ１，Ｐ２，Ｐ３  各ページの画像信号。
【図１】
0003913083.tif 000002
【図２】
0003913083.tif 000003
【図３】
0003913083.tif 000004
【図４】
0003913083.tif 000005
【図５】
0003913083.tif 000006
【図６】
0003913083.tif 000007
【図７】
0003913083.tif 000008
【図８】
0003913083.tif 000009
【図９】
0003913083.tif 000010
【図１０】
0003913083.tif 000011
【図１１】
0003913083.tif 000012